(57)【要約】【課題】  硬質の表紙を構成する表紙用シートで自ら作成した本身独自の文字図柄や写真画像を簡単に印刷することができるとともに、芯ボール紙の貼付けに糊の準備を必要とせず、かつ、芯ボール紙の貼付けの際の位置あわせ調整作業を低減すること。  【解決手段】  芯ボール紙に貼付けて製本物の硬質の表紙を作成する表紙用シートであって、前記表紙用シートを、布や紙などからなるシート１の表面に印刷用インク受容層２を、裏面に粘着剤層３を形成し、その粘着剤層３の上に剥離紙４を貼り合わせ、その剥離紙４に貼り付ける芯ボール紙の輪郭に沿って切り筋４ａ、４ｂ、４ｃを形成して構成する。【選択図】    図１
2006175694.tif 000002
【特許請求の範囲】
【請求項１】
芯ボール紙に貼付けて製本物の表紙を作成する表紙用シートであって、前記表紙用シートは、表面に印刷用インク受容層が、裏面に粘着剤層が形成され、前記粘着剤層の上に剥離紙を貼り合わせたシートからなり、前記剥離紙に前記芯ボール紙を貼り付ける切り筋を形成してなることを特徴とする表紙用シート。
【請求項２】
芯ボール紙を貼り付ける切り筋は、製本物の本身の表面、背面、裏面のそれぞれに対応する芯ボール紙を貼り付ける部分に区分けされていることを特徴とする請求項１に記載の表紙用シート。
【発明の詳細な説明】
【技術分野】
【０００１】
本発明は、芯ボール紙に貼付けて製本物の表紙を作成する表紙用シートに関するものである。
【背景技術】
【０００２】
パーソナルコンピュータで作成した文字図柄やデジタルカメラで撮影した写真画像などをプリンターで印刷し、印刷した用紙を板紙（芯ボール紙）に貼付けて硬質の表紙を作成し、この表紙で、背面を接着剤で綴じた本身（本の中身）を包んで製本を完成する場合がある。このような硬質の表紙は、印刷した表紙用シートの本身の表面にあてがう表面に芯ボール紙を貼付け、背面にあてがう部分に背ボール紙を貼付け、裏面にあてがう部分に芯ボール紙を貼付けて作成される。
【特許文献１】特開平７−１１６３２９号公報
【０００３】
この表紙の作成では、表紙用シートに各芯ボール紙などを貼付けるための糊を用意しなければならず、その準備や使用後の掃除に多くの時間が掛かるといった問題があった。また、表紙用シートに芯ボール紙を貼付ける際、表紙用シートの本身の表面にあてがう部分、背面にあてがう部分および裏面にあてがう部分に各芯ボール紙の位置あわせを行って貼付けなければならず、その作業が面倒であるといった問題があった。さらには高級感を得るために表紙用シートを布製とする場合には、布製の表紙用シートにプリンターで印刷することが簡単に行えず、自ら作成した本身独自の文字図柄や写真画像を印刷した小部数の表紙用シートを作成することが困難であるといった問題があった。
【発明の開示】
【発明が解決しようとする課題】
【０００４】
本発明が解決しようとする課題は、布製の表紙用シートで自ら作成した本身独自の文字図柄や写真画像を簡単に印刷することができるとともに、芯ボール紙の貼付けに糊の準備を必要とせず、かつ、芯ボール紙の貼付けの際の位置あわせ調整作業を低減し、斯かる問題を解消する点である。
【課題を解決するための手段】
【０００５】
本発明は、芯ボール紙に貼付けて製本物の表紙を作成する表紙用シートであって、前記表紙用シートは、表面に印刷用インク受容層が、裏面に粘着剤層が形成され、前記粘着剤層の上に剥離紙を貼り合わせたシートからなり、前記剥離紙に前記芯ボール紙を貼り付ける切り筋を形成してなることを主要な特徴とする。
【発明の効果】
【０００６】
本発明では、表紙用シートの表面に印刷用インク受容層を形成し、裏面に粘着剤層が形成し、その粘着剤層の上に剥離紙を貼り合わせているので、表紙用シートの表面に、本身独自の文字図柄や写真画像を汎用のプリンターで簡単に印刷することができる。また、剥離紙には、芯ボール紙を貼り付ける切り筋を設けているので、芯ボール紙はその切り筋のしたがって剥離紙を適宜剥がし、剥がした箇所の切り筋に合わせて芯ボール紙を粘着剤層により貼り付けることができ、その貼付けのための糊の準備を必要とせず、かつ、芯ボール紙の貼付け位置を簡単に決めることができる。
【発明を実施するための最良の形態】
【０００７】
表紙用シートで自ら作成した本身独自の文字図柄や写真画像を簡単に印刷することができるとともに、芯ボール紙の貼付けに糊の準備を必要とせず、かつ、芯ボール紙の貼付けの際の位置あわせ調整作業を低減する目的を、表紙用シートの表面に印刷用インク受容層を形成し、裏面に粘着剤層が形成し、その粘着剤層の上に剥離紙を貼り合わせることにより実現した。
【実施例１】
【０００８】
以下、本発明の実施例について図によって説明する。図１は実施例に係る表紙用シートの構成を示す図で、（ａ）は表面正面図、（ｂ）は断面図、（ｃ）は裏面正面図である。図１において、１は布製の白色シート、２は印刷用インク受容層、３は粘着剤層、４は剥離紙である。布製のシート１の表面一面に印刷用インク受容層２が形成され、裏面一面に粘着剤層３が形成されている。そして、粘着剤層３を覆って剥離紙４が粘着剤層３に貼付けている。
【０００９】
剥離紙４には、図示しない芯ボール紙（板紙）を貼り付ける箇所に、その芯ボール紙の輪郭に沿って切り筋４ａ、４ｂ、４ｃが形成されている。図示例の切り筋４ａは本身の表面に対応する芯ボール紙を貼り付ける切り筋、切り筋４ｂは本身の背面に対応する芯ボール紙を貼り付ける切り筋、切り筋４ｃは本身の裏面に対応する芯ボール紙を貼り付ける切り筋である。
【００１０】
このように構成した表紙用シートで硬質の表紙を作成するとき、表紙用シートの表面に文字図柄や写真を適宜印刷しておき、図２（ａ）に示すように切り筋にしたがい剥離紙４を剥がし、図２（ｂ）に示すように芯ボール紙５ａ、５ｂ、５ｃを粘着剤層の上に貼り付ける。芯ボール紙５ａ、５ｂ、５ｃを貼り付けたあと、図２（ｃ）に示すように芯ボール紙５ａ、５ｂ、５ｃの周りの剥離紙を剥がし、図２（ｄ）に示すように芯ボール紙５ａ、５ｂ、５ｃからはみだすシート１の周囲面を芯ボール紙５ａ、５ｂ、５ｃの上面に折り返して貼り付ける。これにより、硬質の表紙６を完成させる。
【００１１】
完成させた硬質の表紙６を用いて製本するとき、図３（ａ）に示すように編集した写真集などの本身７の表裏両面に二つ折りの見返し用紙８を重ね、その背面を接着剤で綴じ、その見返し用紙８の片面を硬質の表紙６の芯ボール紙５ａ、５ｃに貼付け、これにより図３（ｂ）に示す製本を完成させる。なお、見返し用紙８の片面に粘着剤層を形成しておくと、芯ボール紙５ａ、５ｃへの貼付けも容易に行うことができる。なお、実施例では表紙用シートのシートを布製とし高級感を得るものであるが、表紙用シートのシートは、布に限らず紙その他のものであってもよい。
【００１２】
以上、本発明によれば、表紙用シートの表面に汎用のプリンターを用いて簡単に印刷ができるので、個人的に編集した写真やはがき或いは名刺の端部を接着剤で直接綴じて作成した本身の、その本身の内容を表示した表紙を簡単かつ随時に作成することができる。
【図面の簡単な説明】
【００１３】
【図１】本発明の実施例に係る表紙用シートの構成を示す図で、（ａ）は表面正面図、（ｂ）は断面図、（ｃ）は裏面正面図である。
【図２】本発明の実施例に係る表紙用シートによる表紙作成工程を示す図である。
【図３】本発明の実施例に係る表紙用シートにより作成した表紙の本身の貼付け工程を示す図である。
【符号の説明】
【００１４】
１  布製のシート
２  印刷用インク受容層
３  粘着剤層
４  剥離紙
４ａ、４ｂ、４ｃ  切り筋
５ａ、５ｂ、５ｃ  芯ボール紙（板紙）
６  硬質の表紙
７  本身
８  見返し用紙
【図１】
2006175694.tif 000003
【図２】
2006175694.tif 000004
【図３】
2006175694.tif 000005